(57)【要約】【課題】所望の電力系統の状態にするために行う複数の系統制御データについて、各系統制御データに係る制御の費用とその制御を実施した場合の電力系統の状態に与える効果との対応関係を把握し得る情報を生成する系統制御装置を提供する。【解決手段】電力系統の特定のポイントにおける状態を示す系統状態データ、電力系統の構成を示す系統構成データ、および所定の目的に対して電力系統の状態を実現するための複数の系統制御データを記憶する記憶部と、複数の系統制御データの各々について、電力系統に対する制御の特徴を示す制御指標を演算する制御指標演算部と、系統状態データと系統構成データとに基づいて、複数の系統制御データの各々に従って制御を実施した場合の電力系統の状態の特徴を示す系統指標をそれぞれ演算する系統指標演算部と、複数の系統制御データの各々に対して、制御指標演算部で演算された制御指標と系統指標演算部で演算された系統指標とを対応付けて出力情報を生成する出力制御部と、を設けるようにした。【選択図】図１
2018078775.tif 000002
【特許請求の範囲】
【請求項１】
電力系統の特定のポイントにおける状態を示す系統状態データ、前記電力系統の構成を示す系統構成データ、および所定の目的に対して前記電力系統の状態を実現するための複数の系統制御データを記憶する記憶部と、
前記複数の系統制御データの各々について、前記電力系統に対する制御の特徴を示す制御指標を演算する制御指標演算部と、
前記系統状態データと前記系統構成データとに基づいて、前記複数の系統制御データの各々に従って制御を実施した場合の前記電力系統の状態の特徴を示す系統指標をそれぞれ演算する系統指標演算部と、
前記複数の系統制御データの各々に対して、前記制御指標演算部で演算された制御指標と前記系統指標演算部で演算された系統指標とを対応付けて出力情報を生成する出力制御部と、
を備えることを特徴とする系統制御装置。
【請求項２】
前記出力制御部は、前記複数の系統制御データのうち特定の時間の複数の系統制御データの各々に対して、前記制御指標演算部で演算された制御指標と前記系統指標演算部で演算された系統指標とが対応付けられて示される画面情報を生成する、
ことを特徴とする請求項１に記載の系統制御装置。
【請求項３】
前記出力制御部は、前記複数の系統制御データのうち特定の期間における複数の系統制御データの各々に対して、前記制御指標演算部で演算された制御指標と前記系統指標演算部で演算された系統指標とが対応付けられ、かつ時系列で示される画面情報を生成する、
ことを特徴とする請求項１に記載の系統制御装置。
【請求項４】
前記複数の系統制御データうちの一の系統制御データの入力を受け付ける入力部と、
前記一の系統制御データに基づいて前記電力系統に対する制御を行う制御部と、
を更に備えることを特徴とする請求項１に記載の系統制御装置。
【請求項５】
前記制御指標演算部は、前記電力系統における発電装置のリファレンス電圧の変更量に係る情報、前記電力系統における変圧器のタップ操作量に係る情報、および前記電力系統における調相設備の投入量に係る情報のうちの少なくとも１つを制御指標として演算する、
ことを特徴とする請求項１に記載の系統制御装置。
【請求項６】
前記系統指標演算部は、前記電力系統における電圧に係る情報、前記電力系統における電力値に係る情報、前記電力系統における送電ロスに係る情報、および前記電力系統における電圧安定度に係る情報のうちの少なくとも１つを系統指標として演算する、
ことを特徴とする請求項１に記載の系統制御装置。
【請求項７】
電力系統の特定のポイントにおける状態を示す系統状態データ、前記電力系統の構成を示す系統構成データ、および所定の目的に対して前記電力系統の状態を実現するための複数の系統制御データを記憶する記憶部と、
前記複数の系統制御データの各々について、前記電力系統に対する制御の特徴を示す制御指標を演算する制御指標演算部と、
前記系統状態データと前記系統構成データとに基づいて、前記複数の系統制御データの各々に従って制御を実施した場合の前記電力系統の状態の特徴を示す系統指標をそれぞれ演算する系統指標演算部と、
前記複数の系統制御データの各々に対して、前記制御指標演算部で演算された制御指標と前記系統指標演算部で演算された系統指標とを対応付けて出力情報を生成する出力制御部と、
を備えることを特徴とする系統制御システム。
【請求項８】
電力系統の特定のポイントにおける状態を示す系統状態データ、前記電力系統の構成を示す系統構成データ、および所定の目的に対して前記電力系統の状態を実現するための複数の系統制御データを記憶する記憶部を備える系統制御システムにおける系統制御方法であって、
制御指標演算部が、前記複数の系統制御データの各々について、前記電力系統に対する制御の特徴を示す制御指標を演算する第１のステップと、
系統指標演算部が、前記系統状態データと前記系統構成データとに基づいて、前記複数の系統制御データの各々に従って制御を実施した場合の前記電力系統の状態の特徴を示す系統指標をそれぞれ演算する第２のステップと、
出力制御部が、前記複数の系統制御データの各々に対して、前記第１のステップで演算された制御指標と前記第２のステップで演算された系統指標とを対応付けて出力情報を生成する第３のステップと、
を備えることを特徴とする系統制御方法。
【発明の詳細な説明】
【技術分野】
【０００１】
本発明は系統制御装置、系統制御システム、および系統制御方法に関し、例えば電力系統に適用して好適なものである。
【背景技術】
【０００２】
従来、発電設備、送電設備、変電設備、配電設備、需要家設備といった電力の生産から消費までを行う設備全体（以下、電力系統と適宜称する。）が知られている。電力系統において高品質な電力供給を維持するためには、電力の生産および消費の同時同量を保つ必要があり、それを実現するために、電力系統監視制御システムが存在する。例えば、電力系統監視制御システムは、電力系統における特定の計測点において電圧、潮流等を計測し、変動する電気の消費に対して、電圧、潮流等が適正になるように制御を行う。また、例えば、電力系統監視制御システムは、送電線、変圧器などの電力流通設備に事故が発生した場合に遠方制御を行う。このような電力系統監視制御システムにおいて、中央給電所、制御所等の監視制御拠点には、監視対象としている電力系統の構成、当該電力系統を構成する各機器の現在の状態、事故発生時の情報などを表示する監視卓等の装置が存在する。
【０００３】
近年、電力系統の構成、電力系統を構成する各機器の状態、事故発生時の情報などを、監視担当範囲に関連付けて表示する電力系統監視制御装置が開示されている（特許文献１参照）。
【先行技術文献】
【特許文献】
【０００４】
【特許文献１】特許第４１４９８５６号公報
【発明の概要】
【発明が解決しようとする課題】
【０００５】
しかしながら、特許文献１に記載の技術では、電圧、電力値等の電力系統に関する現時点の計測値および状態が表示され、現状の電力系統の状態を把握することはできるが、所望の電力系統の状態にするための制御の費用とその制御を実施した場合の電力系統の状態に与える効果とが把握できず、所望の電力系統の状態にするための適切な制御ができないという問題がある。
【０００６】
本発明は以上の点を考慮してなされたもので、所望の電力系統の状態にするために行う複数の系統制御データについて、各系統制御データに係る制御の費用とその制御を実施した場合の電力系統の状態に与える効果との対応関係を把握し得る情報を生成する系統制御装置を提案しようとするものである。
【課題を解決するための手段】
【０００７】
かかる課題を解決するため本発明においては、系統制御装置であって、電力系統の特定のポイントにおける状態を示す系統状態データ、前記電力系統の構成を示す系統構成データ、および所定の目的に対して前記電力系統の状態を実現するための複数の系統制御データを記憶する記憶部と、前記複数の系統制御データの各々について、前記電力系統に対する制御の特徴を示す制御指標を演算する制御指標演算部と、前記系統状態データと前記系統構成データとに基づいて、前記複数の系統制御データの各々に従って制御を実施した場合の前記電力系統の状態の特徴を示す系統指標をそれぞれ演算する系統指標演算部と、前記複数の系統制御データの各々に対して、前記制御指標演算部で演算された制御指標と前記系統指標演算部で演算された系統指標とを対応付けて出力情報を生成する出力制御部と、を設けるようにした。
【０００８】
また本発明においては、系統制御システムであって、電力系統の特定のポイントにおける状態を示す系統状態データ、前記電力系統の構成を示す系統構成データ、および所定の目的に対して前記電力系統の状態を実現するための複数の系統制御データを記憶する記憶部と、前記複数の系統制御データの各々について、前記電力系統に対する制御の特徴を示す制御指標を演算する制御指標演算部と、前記系統状態データと前記系統構成データとに基づいて、前記複数の系統制御データの各々に従って制御を実施した場合の前記電力系統の状態の特徴を示す系統指標をそれぞれ演算する系統指標演算部と、前記複数の系統制御データの各々に対して、前記制御指標演算部で演算された制御指標と前記系統指標演算部で演算された系統指標とを対応付けて出力情報を生成する出力制御部と、を設けるようにした。
【０００９】
また本発明においては、電力系統の特定のポイントにおける状態を示す系統状態データ、前記電力系統の構成を示す系統構成データ、および所定の目的に対して前記電力系統の状態を実現するための複数の系統制御データを記憶する記憶部を備える系統制御システムにおける系統制御方法であって、制御指標演算部が、前記複数の系統制御データの各々について、前記電力系統に対する制御の特徴を示す制御指標を演算する第１のステップと、系統指標演算部が、前記系統状態データと前記系統構成データとに基づいて、前記複数の系統制御データの各々に従って制御を実施した場合の前記電力系統の状態の特徴を示す系統指標をそれぞれ演算する第２のステップと、出力制御部が、前記複数の系統制御データの各々に対して、前記第１のステップで演算された制御指標と前記第２のステップで演算された系統指標とを対応付けて出力情報を生成する第３のステップと、を設けるようにした。
【００１０】
本発明によれば、所望の電力系統の状態にするために行う複数の系統制御データについて、電力系統に対する制御の特徴を示す制御指標と当該制御により得られる電力系統の状態の特徴を示す系統指標とが対応付けられた出力が行われることで、各系統制御データに係る制御の費用とその制御を実施した場合の電力系統の状態に与える効果との対応関係を把握することができる。
【発明の効果】
【００１１】
本発明によれば、所望の電力系統の状態にするために行う複数の系統制御データについて、各系統制御データに係る制御の費用とその制御を実施した場合の電力系統の状態に与える効果との対応関係を把握し得る情報を生成することができる。
【図面の簡単な説明】
【００１２】
【図１】本発明の実施の形態に係る系統制御システムの構成を示す図である。
【図２】本実施の形態の環境状態データの一例を示す図である。
【図３】本実施の形態の機器設定データの一例を示す図である。
【図４】本実施の形態の機器状態データの一例を示す図である。
【図５】本実施の形態の系統構成データの一例を示す図である。
【図６】本実施の形態の処理に係るフローチャートを示す図である。
【図７】本実施の形態の演算条件データの一例を示す図である。
【図８】本実施の形態の系統制御データの一例を示す図である。
【図９】本実施の形態の制御指標データの一例を示す図である。
【図１０】本実施の形態の系統指標データの一例を示す図である。
【図１１】本実施の形態の表示部に表示される、特定の時点の制御指標データと系統指標データとの一例を示す図である。
【図１２】本実施の形態の表示部に表示される、特定の期間の制御指標データと系統指標データの一例を示す図である。
【発明を実施するための形態】
【００１３】
以下図面について、本発明の一実施の形態を詳述する。
【００１４】
（１）第１の実施の形態
（系統制御システムの構成）
図１において、１は全体として本実施の形態による系統制御システムを示す。系統制御システム１は、系統制御装置２および電力系統３を備え、系統制御装置２と電力系統３とは通信ネットワーク４を介して通信可能に接続される。以下では、かかる系統制御システム１において、所望の電力系統３の状態にするための複数の系統制御データについて、電力系統３に対する制御の特徴を示す制御指標と当該制御が実行された場合の電力系統３の状態の特徴を示す系統指標とを対応付けて出力する構成（方法）を説明する。
【００１５】
系統制御装置２は、ＣＰＵ（Central Processing Unit）、マイクロプロセッサ等のコントローラと、メモリ、ハードディスク、ＳＳＤ（Solid State Drive）等の記憶装置と、通信装置とを備えた、回路、プリント基板、サーバ、情報処理装置などである。系統制御装置２は、各種の制御を行う制御部１０と、各種の情報を記録（記憶）する記録部２０と、所定の条件下での最適解を演算する最適演算部３０と、通信ネットワーク４を介して各種の機器と通信を行う通信部４０と、各種の情報を入力する入力部５０と、各種の情報を出力する出力部６０とを備える。
【００１６】
制御部１０および最適演算部３０は、記憶装置に記憶された各種のプログラムに従ってコントローラが処理を行うソフトウェアによって実現されてもよいし、回路等のハードウェアによって実現されてもよい。また、制御部１０および最適演算部３０の機能は、単一の装置で実現されるものに限られるものではなく、相互に通信可能に接続された複数の装置により実現されてもよい。記録部２０は、記憶装置により実現される。通信部４０は、通信装置により実現される。入力部５０は、キーボード、マウス等のポインティングデバイス、タッチパネル、音声指示装置などであり、少なくとも１つを含んで実現される。出力部６０は、ディスプレイ装置、プリンタ、音声出力装置などであり、少なくとも１つを含んで実現される。
【００１７】
かかる系統制御装置２は、通信部４０に接続された通信ネットワーク４を介して、電力系統３の計測機器５から電力系統３の計測データを取得することができる。また、系統制御装置２は、電力系統３の電気機器６に制御指令を送信することで、電気機器６の動作状態を制御することができる。
【００１８】
電力系統３は、発電装置を用いて発電を行う発電設備（例えば発電所）と、発電設備が発生した電力を消費する需要家設備と、発電設備から需要家設備までの電力を送る電力流通設備（送電設備、変電設備、配電設備等）と、これらの設備の状態を計測する計測機器５とを含む。発電装置は、火力発電、水力発電、原子力発電、地熱発電、太陽光発電、風力発電等を行う装置であるが、他にも様々な発電方法で発電を行う装置であってもよい。電力流通設備としては、架空送電線、地中送電線、変圧器、遮断器、調相設備を含むが、他にも送配電に関わる様々な設備が含まれる。
【００１９】
計測機器５は、電力系統３の特定の測定ポイントにおける状態を計測する複数の計測装置を示す。計測項目としては、電力系統３の電圧、位相、電力などの電力項目と、電気機器６の設定状態および動作状態の項目と、電力流通設備、発電装置等の電力潮流状態を変化させる機器の動作状態の項目とを含み、他にも様々な項目が計測項目となり得る。測定ポイントは、発電設備の母線、変電設備の母線、電力流通設備、需要家設備等を含み、１つの測定ポイントに対する計測装置は、単数であてもよいし、複数であってもよい。計測機器５が計測した値は、通信ネットワーク４を介して、系統制御装置２に送信される。このとき、計測機器５は、計測した値と共に、計測日時の情報を付加して送信してもよい。
【００２０】
電気機器６は、電力系統３を構成する機器のうち、発電装置、変圧器、遮断器、調相設備などの電力系統３の電力潮流状態を変更するための装置であるが、他にも様々な装置を含んでもよい。また、電気機器６は、系統制御装置２が通信ネットワーク４を介して送信した制御指令を受信すると、制御指令に応じて動作状態を変更することができる。
【００２１】
（系統制御システムにおける制御）
系統制御装置２の制御部１０は、系統状態取得部１０１、演算条件生成部１０２、制御指標演算部１０３、系統指標演算部１０４、および系統制御表示制御部１０５を備える。系統制御システム１では、図２〜図４に示すデータが系統状態取得部１０１により電力系統３から取得され、演算条件生成部１０２、制御指標演算部１０３、系統指標演算部１０４、および系統制御表示制御部１０５により、図２〜図４に示すデータと記録部２０に記録された図５に示すデータが参照され、図６に示すフローチャートの処理手順にて制御指標および系統指標が生成されてこれらが対応付けられて出力情報（例えば画面情報）が生成され、出力結果に基づいて電気機器６の制御が可能となる。
【００２２】
系統状態取得部１０１は、定期的（例えば２秒間隔で）または制御部１０からの指示時（例えばユーザが所望する時間）に、計測機器５が送信した各種データを、通信部４０を介して取得し、記録部２０の系統状態データ２０１として計測日時と共に記録する。
【００２３】
図１に示すように、系統状態データ２０１には、環境状態データ２１１、機器設定データ２１２、および機器状態データ２１３が含まれる。
【００２４】
環境状態データ２１１には、負荷（電力系統３において電気を消費する機器）に流れる有効電力、無効電力、発電装置が発電する有効電力等の情報が含まれる。図２に、電力系統３の特定の測定ポイントにおける環境状態データ２１１の一例を示す。図２に示すように、環境状態データ２１１は、例えば、通し番号Ｄ１０１、計測日時Ｄ１０２、有効電力Ｄ１０３、および無効電力Ｄ１０４の情報を含み、環境状態データ２１１には、特定の測定ポイントの値（測定値）が時系列で格納される。なお、計測日時Ｄ１０２、有効電力Ｄ１０３、および無効電力Ｄ１０４は、測定に係る項目であり、各項目の値は、測定ポイントにおける測定に応じて適宜変更される。
【００２５】
機器設定データ２１２は、電気機器６の設定状態の情報が含まれる。図３に、電力系統３に接続された電気機器６の機器設定データ２１２の一例を示す。図３に示すように、機器設定データ２１２は、例えば、通し番号Ｄ２０１、計測日時Ｄ２０２、調相設備１Ａの投入量Ｄ２０３、調相設備１Ｂの投入量Ｄ２０４、変圧器２Ａのタップ位置Ｄ２０５、および変圧器２Ｂのタップ位置Ｄ２０６の情報を含み、機器設定データ２１２には、電気機器６の設定を示す情報（設定値）が時系列で格納される。なお、調相設備１Ａの投入量Ｄ２０３、調相設備１Ｂの投入量Ｄ２０４、変圧器２Ａのタップ位置Ｄ２０５、および変圧器２Ｂのタップ位置Ｄ２０６は、電気機器６の設定に係る項目であり、計測機器５から取得可能な項目の組合せを適宜に採用可能である。
【００２６】
機器状態データ２１３には、電気機器６、電力流通設備、発電装置等の電力潮流状態を変化させる機器の動作状態を示す情報（動作状態情報）が含まれる。図４に、電力系統３に接続された電気機器６の機器状態データ２１３の一例を示す。図４に示すように、機器状態データ２１３は、例えば、通し番号Ｄ３０１、計測日時Ｄ３０２、調相設備１Ａの動作状態Ｄ３０３、調相設備１Ｂの動作状態Ｄ３０４、変圧器２Ａの動作状態Ｄ３０５、および変圧器２Ｂの動作状態Ｄ３０６の情報を含み、機器状態データ２１３には、電気機器６の動作状態情報が時系列で格納される。調相設備１Ａの動作状態Ｄ３０３、調相設備１Ｂの動作状態Ｄ３０４、変圧器２Ａの動作状態Ｄ３０５、および変圧器２Ｂの動作状態Ｄ３０６には、遮断器、開閉器などの開閉装置の開閉状態、送電線の送電ステータス等の項目が含まれてもよい。また、機器状態データ２１３の項目は、電力流通設備、発電装置等の電力潮流状態を変化させる機器の動作状態の項目、計測機器５から取得したその他の機器の動作状態の項目の組合せであってもよい。
【００２７】
系統構成データ２０２は、記録部２０に予め記録され、系統構成データ２０２には、電力系統３の構成に係る情報が含まれる。図５に、電力系統３における送電線の系統構成データ２０２の一例を示す。系統構成データ２０２は、例えば、通し番号Ｄ４０１、名称Ｄ４０２、定格電圧Ｄ４０３、基準容量Ｄ４０４、線路長Ｄ４０５、抵抗Ｄ４０６、およびリアクタンスＤ４０７の情報を含み、送電線ごとに格納される。系統構成データ２０２には、電力系統３の解析に必要な情報のうち、電力系統３を構成する機器の項目（パラメータ項目）、機器の相互の電気的な接続形態などの短時間では変化しない項目等の情報が含まれる。図５は、送電線の場合を取り上げて示しているが、他の機器の場合には、異なる項目を設けるようにしてもよい。
【００２８】
次に、図６〜図１２を用いて、演算条件生成部１０２、制御指標演算部１０３、系統指標演算部１０４、および系統制御表示制御部１０５について説明する。図６は、所定の目的に対して電力系統３の状態を実現するための複数の系統制御データ２０４（系統制御案）に関する、電力系統３に対する制御に要する費用等に係る制御指標データ２０５と、当該制御により実現される電力系統３の状態（例えば運用状態）を示す系統指標データ２０６とを生成して合わせて表示する処理手順を示す。
【００２９】
ステップＳ１０１では、制御部１０が入力部５０を介した指示または事前の設定により、最適な電力系統３の状態の演算が指示された場合、演算条件生成部１０２により、系統状態データ２０１、系統構成データ２０２等を利用して、演算に利用される演算条件データ２０３が複数作成される。
【００３０】
より具体的には、演算条件生成部１０２は、系統状態データ２０１に蓄積されたデータに基づいて、最適演算部３０が利用する、電気機器６の制御可不可の組合せなどによる演算条件を複数作成し、電力系統３の状態を演算するための演算条件データ２０３として記録部２０に記録する。例えば、演算条件生成部１０２は、系統状態データ２０１および系統構成データ２０２を参照し、機器の寿命が一定範囲内の機器についての制御（操作）は行わないことを示すシナリオ、操作の上限回数が一定回数に達した機器についての制御（操作）は行わないことを示すシナリオ、電力系統３に接続する機器の数を一定数に抑えることを示すシナリオなど、ユーザが所望するシナリオに合うように、演算条件データ２０３を作成する。
【００３１】
図７に、演算条件データ２０３の一例を示す。演算条件データ２０３は、例えば、演算条件を一意に識別可能なＩＤＤ５０１、調相設備１Ａの制御可不可Ｄ５０２、調相設備１Ｂの制御可不可Ｄ５０３、変圧器２Ａの制御可不可Ｄ５０４、および変圧器２Ｂの制御可不可Ｄ５０５の情報を含み、最適演算部３０が演算を行う場合の条件の一部となるものである。調相設備１Ａの制御可不可Ｄ５０２、調相設備１Ｂの制御可不可Ｄ５０３、変圧器２Ａの制御可不可Ｄ５０４、および変圧器２Ｂの制御可不可Ｄ５０５は、電気機器６の制御可不可条件であり、遮断器、開閉器など、その他の機器の組合せであってもよい。また、最適演算部３０の演算における電力損失低減、電圧安定性向上などの目的のうち、どの目的を重視するかの重み付けを演算条件として採用してもよい。
【００３２】
ステップＳ１０２では、演算条件生成部１０２により作成された複数の演算条件データ２０３が最適演算部３０に出力され、最適演算部３０により演算条件データ２０３に基づいて演算された最適な電力系統３の状態を達成するための系統制御データ２０４が制御部１０により取得される。この際、最適演算部３０は、最新の系統状態データ２０１と演算条件データ２０３とに基づいて、最適な電力系統３の状態を実現する系統制御データ２０４を生成し、制御部１０に出力する。制御部１０は、受信した系統制御データ２０４を記録部２０に記録する。
【００３３】
ここで、最適演算部３０は、電力損失低減、電圧安定性向上等の所定の目的に対し、目的に最適な電力系統３の状態を演算するものである。例えば、最適演算部３０は、電力損失低減を表現する目的関数を与え、電力系統３の潮流方程式の制約条件と、電圧範囲、機器制御可不可等のその他の等式制約条件および不等式制約条件とを満足する変数の組合せの中から、上記目的関数を最小または最大とする変数の組合せを演算する。変数としては、各母線の電圧、調相設備の投入量、変圧器のタップ位置などが利用される。また、最適演算部３０は、文献「関根泰次、外６名共著、電力系統の最適潮流計算≪OPF；Optimal Power Flow≫、一般社団法人日本電気協会、平成14年3月」等に示されている公知技術を用いて演算を行うことができる。ただし、上記文献に記載の方法に限定されるものではなく、所望の目的に対して、最適な電力系統３の状態を演算する方法であれば、その他の方法を用いてもよい。
【００３４】
図８に、電力系統３を所定の状態にするための系統制御データ２０４の一例を示す。系統制御データ２０４は、例えば、通し番号Ｄ６０１、通し番号の系統制御データ２０４を演算する際に用いた演算条件を一意に識別可能な演算条件ＩＤＤ６０２、当該演算が実行された日時を示す演算日時Ｄ６０３、調相設備１Ａの投入量Ｄ６０４、調相設備１Ｂの投入量Ｄ６０５、変圧器２Ａのタップ位置Ｄ６０６、および変圧器２Ｂのタップ位置Ｄ６０７の情報を含み、制御時の設定を示す情報（パラメータ値）を格納したものである。なお、調相設備１Ａの投入量Ｄ６０４、調相設備１Ｂの投入量Ｄ６０５、変圧器２Ａのタップ位置Ｄ６０６、および変圧器２Ｂのタップ位置Ｄ６０７の項目は、電気機器６の設定を示す項目であり、発電機の端子電圧の目標値、開閉器の開閉状態の項目など、本例以外の項目の組合せであってもよい。
【００３５】
ステップＳ１０３では、制御指標演算部１０３により生成された系統制御データ２０４に基づく制御に要する費用等に係る制御指標が算出される。
【００３６】
より具体的には、制御指標演算部１０３は、系統制御データ２０４に基づいて、系統制御データ２０４の特徴を把握するための制御指標を演算し、制御指標データ２０５として記録部２０に記録する。例えば、制御指標演算部１０３は、系統制御データ２０４の演算条件ごとに、調相設備の投入量の総和を算出すると共に、各変圧器の現在のタップ位置と操作後のタップ位置とから操作回数を求め、それらを合計して変圧器タップの総操作量を算出し、調相設備の投入量の総和および変圧器タップの総操作量の各々を制御指標とする。
【００３７】
図９に、電力系統３に対する制御の特徴を示す制御指標データ２０５の一例を示す。制御指標データ２０５は、例えば、通し番号Ｄ７０１、演算条件ＩＤＤ７０２、演算日時Ｄ７０３、系統制御データ２０４中の全調相設備の投入量（例えば電力系統３に接続するキャパシタの数）の総和を示す調相設備総投入量Ｄ７０４、系統制御データ２０４中の全変圧器のタップの操作量の総和を示す変圧器タップ総操作量Ｄ７０５の情報を含む。演算条件ＩＤＤ７０２には、通し番号の制御指標データ２０５を演算する際に用いた系統制御データ２０４の演算条件ＩＤＤ６０２の情報が格納され、演算日時Ｄ７０３には、通し番号の制御指標データ２０５を演算する際に用いた系統制御データ２０４の演算日時Ｄ６０３の情報が格納される。調相設備総投入量Ｄ７０４および変圧器タップ総操作量Ｄ７０５は、電力系統３に対する制御（系統制御データ２０４）の特徴をユーザが把握するために利用する指標に係る項目であるが、これらの項目に限られるものではなく、制御の特徴を把握可能なその他の項目（例えば電力系統３における発電装置のリファレンス電圧の変更量の総和を示すリファレンス電圧総変更量）であってもよい。
【００３８】
ステップＳ１０４では、系統指標演算部１０４により、系統制御データ２０４に基づいて電力系統３における対象の機器を制御した場合の電力系統３の状態を示す系統指標が算出される。
【００３９】
より具体的には、系統指標演算部１０４は、系統状態データ２０１、系統構成データ２０２、および系統制御データ２０４に基づいて、系統制御データ２０４に応じて電力系統３における対象の機器の制御を実施した場合の電力系統３の状態の特徴を把握するための系統指標を演算し、系統指標データ２０６として記録部２０に記録する。
【００４０】
図１０に、電力系統３の状態の特徴を示す系統指標データ２０６の一例を示す。系統指標データ２０６は、例えば、通し番号Ｄ８０１、演算条件ＩＤＤ８０２、演算日時Ｄ８０３、電力系統３全体の送電ロスを示す全系統送電ロスＤ８０４、電力系統３全体での電圧制限逸脱箇所（例えば規定された電圧の範囲内にない箇所を計数した値）を示す全系統電圧制限逸脱Ｄ８０５の情報を含む。演算条件ＩＤＤ８０２には、通し番号の系統指標データ２０６を演算する際に用いた系統制御データ２０４の演算条件ＩＤＤ６０２の情報が格納され、演算日時Ｄ８０３には、通し番号の系統指標データ２０６を演算する際に用いた系統制御データ２０４の演算日時Ｄ６０３の情報が格納される。全系統送電ロスＤ８０４および全系統電圧制限逸脱Ｄ８０５は、電力系統３の状態の特徴をユーザが把握するために利用する指標に係る項目であるが、これらの項目に限られるものではなく、電力系統３の状態の特徴を把握可能なその他の項目（電力系統３の各ポイントおける電圧や電力値、全体の消費電力量、電圧安定性余裕といった系統の安定性を示す指標など）であってもよい。
【００４１】
ステップＳ１０５では、系統制御表示制御部１０５により、系統制御データ２０４に対応する制御指標データ２０５と系統指標データ２０６とが対応付けられる出力情報が生成されて出力部６０に出力される。
【００４２】
より具体的には、系統制御表示制御部１０５は、特定の演算日時または特定の演算期間において、演算日時に対応する制御指標データ２０５と系統指標データ２０６とを取得し、一覧表または時系列グラフとして出力部６０に表示させるものである。
【００４３】
図１１に、出力部６０において表示される画面の一例を示す。表示画面Ｇ１０１上には、特定の演算日時における、電力系統３に対する制御の特徴を示す指標Ｇ１０２と、制御後の電力系統３の状態の特徴を示す指標Ｇ１０３とが同一画面上に表示される。
【００４４】
ここで、複数の系統制御データ２０４の各々について、制御指標データ２０５と系統指標データ２０６とが対応付けられて出力部６０に表示された際、制御部１０は、入力部５０を介してユーザからの系統制御データ２０４の選択入力（例えば、ラジオボタンの選択および実行アイコンの押下）を受け付けると、選択された系統制御データ２０４の制御を実現する制御指令（パラメータ値を示す情報等が含まれる。）を生成し、電力系統３の対象の電気機器６に送信する。
【００４５】
ここで、調相設備総投入量および変圧器タップ総操作量の各々は、費用、手間等に対応する指標であり、送電ロスおよび電圧制限逸脱の各々は、電力系統３に対する制御が実行された場合の電力系統３の状態に対応する指標であるので、これらの指標より、電力系統３に対する制御の費用とその制御を実施した場合の電力系統３の状態に与える効果を把握できる。
【００４６】
図１２に、出力部６０において表示される画面の一例を示す。表示画面Ｇ２０１上には、特定の演算期間内の演算日時における、電力系統３に対する制御の特徴を示す指標に対する時系列グラフＧ２０２と、制御後の電力系統３の状態の特徴を示す指標に対する時系列グラフＧ２０３とが同一画面上に表示される。
【００４７】
電力系統３に対する制御の特徴を示す指標の時系列グラフＧ２０２と、制御後の電力系統３の状態の特徴を示す指標の時系列グラフＧ２０３とが出力部６０に表示されることで、電力系統３に対する制御の費用とその制御を実施した場合の電力系統３の状態に与える効果を把握できると共に、費用および効果の傾向を把握できるようになる。
【００４８】
以上により、所望の電力系統の状態にするための複数の系統制御案について、各制御に関する指標と、各制御が実行された場合の電力系統の状態に関する指標とを対応付けて表示することにより、各制御に対する費用とその制御の結果である電力系統の状態への効果とを容易に把握することができる。また、制御（操作）の費用（コスト）とその結果である電力系統の状態とを対応付けて把握できるので、系統制御案の妥当性評価、系統制御案の選択、エビデンス化などができるようになる。
【００４９】
（２）他の実施の形態
上述の実施の形態においては、計測機器５で測定されたデータ（実測データ）と電気機器６のような実在の設備とを用いる場合について述べたが、本発明はこれに限らず、シミュレーターで再現されたデータ（仮想データ）や設備（仮想設備）を用いるようにしてもよい。なお、シミュレーターは、系統制御装置２に含まれていてもよいし、系統制御装置２とは別に設けられてよい。
【００５０】
また上述の実施の形態においては、系統制御装置２が系統状態データ２０１を取得する場合について述べたが、本発明はこれに限らず、計測機器５および電気機器６が所定時間ごとに系統状態データ２０１を系統制御装置２に送信するようにしてもよい。
【００５１】
また上述の実施の形態においては、演算条件データ２０３を自動で作成する場合について述べたが、本発明はこれに限らず、ユーザにより手動で設定されるようにしてもよい。なお、制御可不可の値は、自動および手動にかかわらず、例えば、ＩＤＤ５０１「Ｃ１」に示すように、調相設備のみが可であり、他の機器は不可であるなど、機器種類ごとに可不可の全組合せで指定されてもよいし、組合せの省略などが行われてもよく、制御に関わる複数の演算条件を生成できる適宜の組合せを採用できる。
【００５２】
また上述の実施の形態においては、図１１に示す画面において系統制御データを選択して対象の機器を制御する場合について述べたが、本発明はこれに限らず、図１２に示す画面において系統制御データを選択（例えばグラフ上の指標を選択）して対象の機器を制御するようにしてもよい。
【００５３】
また上述の実施の形態においては、調相設備総投入量および変圧器タップ総操作量を表示する場合について述べたが、本発明はこれに限らず、調相設備総投入量および変圧器タップ総操作量をそれぞれ費用に換算して各費用または費用の合計を表示するようにしてもよい。
【００５４】
また上述の実施の形態においては、調相設備総投入量および変圧器タップ総操作量を表示する場合について述べたが、本発明はこれに限らず、調相設備総投入量および変圧器タップ総操作量をファイル（データ）として出力するようにしてもよいし、印刷して紙として出力してもよいし、音声として出力してもよい。
【００５５】
また上述の実施の形態においては、調相設備総投入量および変圧器タップ総操作量の各々を制御指標とする場合について述べたが、本発明はこれに限らず、制御指標としては、相対値（例えば、所定の基準値に対する割合）、優先順位（例えば、制御の量（操作の回数）が少ないほど順位を高くしたもの）等を用いてもよい。なお、送電ロス、電圧制限逸脱等の系統指標についても同様に、相対値、優先順位等を用いてもよい。
【００５６】
また上述の実施の形態においては、出力部６０で出力が行われる場合について述べたが、本発明はこれに限らず、出力部６０に加えてまたは替えて、系統制御装置２とは別に設けられる出力部で出力が行われてもよい。
【符号の説明】
【００５７】
１……系統制御システム、２……系統制御装置、３……電力系統、４……通信ネットワーク、５……計測機器、６……電気機器、１０……制御部、２０……記録部、３０……最適演算部、４０……通信部、５０……入力部、６０……出力部、１０１……系統状態取得部、１０２……演算条件生成部、１０３……制御指標演算部、１０４……系統指標演算部、１０５……系統制御表示制御部、２０１……系統状態データ、２０２……系統構成データ、２０３……演算条件データ、２０４……系統制御データ、２０５……制御指標データ、２０６……系統指標データ、２１１……環境状態データ、２１２……機器設定データ、２１３……機器状態データ
【図１】
2018078775.tif 000003
【図２】
2018078775.tif 000004
【図３】
2018078775.tif 000005
【図４】
2018078775.tif 000006
【図５】
2018078775.tif 000007
【図６】
2018078775.tif 000008
【図７】
2018078775.tif 000009
【図８】
2018078775.tif 000010
【図９】
2018078775.tif 000011
【図１０】
2018078775.tif 000012
【図１１】
2018078775.tif 000013
【図１２】
2018078775.tif 000014